(57)【要約】      （修正有）【課題】ｉ機からｉ線が、体や他の機械に打たれた時に、体や機械からｉ線を遮断する。【解決手段】本体の中に雲母ダイオード２などをしつらえておき、そこで発生した雲母波を結合プラグ３へ送り、そこから人体や電気製品に送る。そうして人体や電気製品からｉ線を遮断する。【選択図】図１
2007000594.tif 000002
【特許請求の範囲】
【請求項１】
ｉ機（ヨウ素地場光線発生機−以下これをｉ機と呼ぶ）からｉ線（ヨウ素地場光線−−以下これをｉ線と呼ぶ）が打たれている時、人体や電気製品などに対して空気を遮断する事なく、雲母波（−厳密に言うと、雲母の陽子粒−）を流す事によってｉ線を遮断する事を、技とする自由のための光線発生機。
【請求項２】
本体だけでは、ｉ線を遮断できないので、別に結合プラグを置いて雲母波を流し、ｉ線を遮断する事を、技とする自由のための光線発生機。
【請求項３】
ｉ線に対して、守らなければならない物、つまり、列記していくと、人体、コンセント式電気製品、非コンセント式電気製品（乾電池式電気製品）、車、家、船、飛行機にそれぞれ対応する事を、技とする自由のための光線発生機。
【請求項４】
回路の方では、乾電池を電源として、雲母ダイオードから雲母波を流す事を、技とする自由のための光線発生機。
【請求項５】
雲母ダイオードでは、＋（プラス）にタングステンを、−（マイナス）に雲母を使用し、球の中は真空にし、雲母からは、雲母の陽子粒を流し、これによってｉ線を遮断する事を、技とする自由のための光線発生機。
【請求項６】
特に人体用としては、防御機械は腰に巻く事によって、そこから雲母波を上と下に流す事によって、ｉ線を遮断する事を、技とする自由のための光線発生機。
【発明の詳細な説明】
【技術分野】
【０００１】  本発明は、ｉ線から人体や機械を守るための、雲母波に関するものである。［背景技術］【０００２】  居住に対してだが、以前、雲母片を散りばめて作った蚊屋のようなビニールの部屋に、外からのヨウ素を入れないように、酸素ボンベを置いて酸素を出すようにした部屋を作った。この部屋には実際に、ｉ線は入ってこれなかった。［発明の開示］［発明が解決しようとする課題］【０００３】  従来よりあった、雲母片を散りばめる事によってヨウ素を入れないようにした蚊屋のような部屋に対して、神経や回路の配線に直接、しかも雲母波を流す事によって、ｉ線を遮断するとした事によって解決しようとした。［課題を解決するための手段］【０００４】  この機械は、ｉ機から発生するｉ線が、人体や電気製品、或いは車などの乗り物、そして家などに打たれた場合に、対応して、作動させるものである。ｉ線というものは人体や動物などの神経に作用し、そこから諸器官へ作用するようになっている。またｉ線は、電気製品や車や家の電気配線や回路の配線に作用するようにもなっている。そのため、この光線（自由のための光線）発生機は、本体と結合プラグをもって、ｉ線を遮断するものであるが、この光線とは、雲母波（−厳密に言うと、雲母の陽子粒−）を指し、回路の本体の中には、電源である乾電池と、雲母波を発生させる雲母ダイオードが組み込まれている。【０００５】  請求項３を説明すると、人体に対しては、結合プラグは肌に接して、腰に、ベルト状に付けるようになっている。そして、体の横に本体がある。雲母波は本体で発生して、結合プラグから体の上半身と下半身に流れてゆき、ｉ線を一掃する。動物のペットなども、犬などは、首輪仕様にする。そしてコンセント式電気製品に対しては、結合プラグに、プラグとコンセントが装備されており、電気製品はこのコンセントに差し込みさらに結合プラグのプラグは、家庭のコンセントに差し込む。そして雲母波は本体から結合プラグに流れてきて、さらに電気製品に流れ、雲母波で電気製品内のｉ線を一掃する、というものである。そして非コンセント式電気製品（乾電池式電気製品）に対しては、例えば、携帯電話機などに対しては、本体は、両面テープで、貼りつけるようになっている。そして車に対しては、運転席に本体があり、コードから結合プラグへ雲母波が流れてゆく。本体にスイッチがあり、本体から電気系統へ雲母波が流れてゆく。そして電気系統からｉ線を一掃する。さらに家に対しては、ブレーカーなどの横に本体と結合プラグを据え付け、必要だと思う時に、スイッチによって本体を作動させブレーカーから家の中の配線に雲母波を流して、ｉ線を一掃する。そして船は機械の本体はキャビンに取りつけられ、そこにスイッチがある。そして飛行機は機械の本体はコックピットにあり、そこにスイッチがある。［発明の効果］【０００６】  従来技術では、ｉ線を遮断するものは、雲母の部屋、つまり雲母片を散りばめて作った蚊屋のようなビニールの部屋で、しかもその内部には、酸素ボンベを置いて、酸素を出し、外からのヨウ素を入れないようにした部屋であった。しかし、当該発明は、雲母波を発生させて、神経や回路に流すというものである。雲母波を流す事によって、ｉ線を遮断するというものである。それによって、人間は機械から開放され、或いは、ｉ線に侵された配線などが、ｉの機械から開放されるのである。［発明を実施するための最良の形態］【０００７】当該発明は、本体と結合プラグからなり、本体の中に雲母波を発生させるために、主に雲母ダイオードをしつらえる事を主な特徴とする。［実施例１］【０００８】図１では、スイッチを入れると雲母ダイオードから雲母波（−厳密には雲母の陽子粒−）が発生し、抵抗Ｒで表わされた結合プラグに雲母波が流れる事を表わしている。［実施例２］【０００９】  また図２では、雲母の陽子粒が配線を伝わり−（マイナス）から＋（プラス）へ流れていま、このものが、雲母波と呼ばれてｉ線の侵入を遮断する。
【図面の簡単な説明】
【００１０】
【図１】自由のための光線発生機の、回路の図。
【図２】雲母ダイオードの図。
【図３】人体に対する、自由のための光線発生機の立体図。
【図４】コンセント式電気製品に対する、自由のための光線発生機の立体図。
【図５】非コンセント式電気製品（乾電池式電気製品）に対する、自由のための光線発生機の立体図。
【図６】車に対する、自由のための光線発生機の立体図。
【図７】家のブレーカーに対する。自由のための光線発生機の立体図。
【図８】船に対する、自由のための光線発生機の立体図。
【図９】飛行機に対する、自由のための光線発生機の立体図。
【符号の説明】
【００１１】１  スイッチ２  雲母ダイオード３  結合プラグ４  乾電池５  雲母６  タングステン７  電気８  雲母の陽子粒９  雲母の電子粒１０  真空１１  本体１２  結合プラグ１３  スイッチ１４  ランプ１５  人体１６  雲母波１７  本体１８  結合プラグ１９  スイッチ２０  ランプ２１  電気製品２２  雲母波２３  本体２４  結合プラグ２５  スイッチ２６  ランプ２７  両面テープ２８  表側２９  裏側３０  本体３１  結合プラグ３２  スイッチ３３  ランプ３４  電気系統３５  タイヤ３６  雲母波３７  本体３８  結合プラグ３９  スイッチ４０  ランプ４１  ブレーカー４２  雲母波４３  本体４４  結合プラグ４５  電気系統４６  雲母波４７  本体４８  結合プラグ４９  電気系統５０  雲母波
【図１】
2007000594.tif 000003
【図２】
2007000594.tif 000004
【図３】
2007000594.tif 000005
【図４】
2007000594.tif 000006
【図５】
2007000594.tif 000007
【図６】
2007000594.tif 000008
【図７】
2007000594.tif 000009
【図８】
2007000594.tif 000010
【図９】
2007000594.tif 000011